(57)【要約】【課題】従来の排稈処理装置においては、メンテナンスを行うなどのために排稈処理装置を開放したきに、スプレッダの回転刃が剥き出し状態となり、排稈処理装置の筐体よりも突出することもあるため、メンテナンス時に作業者が回転刃に引っ掛かったり、触れて怪我をしたりする懸念があった。【解決手段】切断装置３０等の作業部を収納した排稈処理装置１の筐体２を、入口側を開放して収穫機の本機に取り付けた構成において、前記筐体２の入口側に、前記作業部前部を覆うカバー１５を収納可能に設けた。【選択図】      図２
2004313015.tif 000002
【特許請求の範囲】
【請求項１】
切断装置等の作業部を収納した排稈処理装置の筐体を、入口側を開放して収穫機の本機に取り付けた構成において、前記筐体の入口側に、前記作業部前部を覆うカバーを収納可能に設けたことを特徴とする排稈処理装置のカバー。
【請求項２】
前記カバーを分割して折りたたみ可能に構成し、該カバーの一端を作業部の上部に回動自在に支持したことを特徴とする請求項１に記載の排稈処理装置のカバー。
【請求項３】
前記カバーの一端を作業部下部に回動自在に枢支したことを特徴とする請求項１に記載の排稈処理装置のカバー。
【発明の詳細な説明】
【０００１】
【発明の属する技術分野】
本発明は、脱穀後の排稈を処理するためにコンバイン等の後部に取り付けられる排稈処理装置のカバーに関し、詳しくは、作業部としてスプレッダ等を備えた排稈処理装置をメンテナンス等の為に開放するときに作業部を覆うカバーに関する。
【０００２】
【従来の技術】
従来、コンバイン等の脱穀装置後部に付設される排稈処理装置等に取り付けられて排稈等を排出するスプレッダにおいては、回転軸に切断用の刃（以下「回転刃」とする）を放射状に複数配設し、該回転刃を高速で回転することにより、スプレッダに搬送されてきた排稈を切断しつつ拡散して排出するようにして、スプレッダ作業を行っていた（特許文献１参照。）。
このスプレッダを収納した排稈処理装置は、左右のどちらか一側に回動してサイドオープン可能とされ、または着脱できるようにして、回転刃の交換などのメンテナンスを行うことができるように構成されていた。
【０００３】
【特許文献１】
特開２００１−１７８２５０号公報
【０００４】
【発明が解決しようとする課題】
しかし、従来の排稈処理装置においては、メンテナンスを行うなどのために排稈処理装置を開放したきに、スプレッダの回転刃が剥き出し状態となり、排稈処理装置の筐体よりも突出することがあるため、メンテナンス時に作業者が回転刃に引っ掛かったり、触れて怪我をしたりする懸念があった。
【０００５】
【課題を解決するための手段】
本発明の解決しようとする課題は以上の如くであり、次にこの課題を解決するための手段を説明する。
【０００６】
即ち、請求項１においては、切断装置等の作業部を収納した排稈処理装置の筐体を、入口側を開放して収穫機の本機に取り付けた構成において、前記筐体の入口側に、前記作業部前部を覆うカバーを収納可能に設けたものである。
【０００７】
請求項２においては、前記カバーを分割して折りたたみ可能に構成し、該カバーの一端を作業部の上部に回動自在に支持したものである。
【０００８】
請求項３においては、前記カバーの一端を作業部下部に回動自在に枢支したものである。
【０００９】
【発明の実施の形態】
次に、本発明を、排稈処理装置の作業部としてスプレッダを備えたコンバインの実施の形態について説明する。なお、スプレッダの代わりにディスクカッターや結束装置、ビータ等を排稈処理装置の作業部とし、メンテナンス等のために開放した場合に作業部が筐体よりむき出しになるような場合にも適用できる。
図１はカバーを筐体上部に収納した状態を示す排稈処理装置の斜視図、図２は回転刃をカバーで覆った状態を示す排稈処理装置の斜視図、図３はカバーを筐体下部に収納した状態を示す別実施例の排稈処理装置の斜視図、図４は回転刃をカバーで覆った状態を示す別実施例の排稈処理装置の斜視図である。
【００１０】
本発明に係る排稈処理装置１の全体構成について、図１を用いて説明する。
コンバイン１２等の収穫機の脱穀装置の後部に排稈処理装置が配置され、該排稈処理装置１に切断装置としてスプレッダ３０が装備されている。排稈処理装置１は、筐体２と、該筐体２内部に収納されるスプレッダ３０と、筐体２後部に取り付けられた排出ダクト３などから構成されている。該筐体２は左右の側板５・５と、上板６と、後板と下板等から構成される。スプレッダ３０は左右の側板５・５間に回転自在に横架される回転軸７と、該回転軸７の外周面に放射状に突出される回転刃９・９・・・等から構成される。
【００１１】
前記回転軸７の外周面には軸方向に所定の間隔を置いて、かつ、円周方向に所定角度をおいて、取付部材８・８・・・が周方向に複数設けられ、各取付部材８にブレード状の回転刃９がボルト・ナットなどの締結具１０により着脱可能に取り付けられている。こうして、回転刃９・９・・・が回転軸７から放射状に突出されるが、筐体２は入口側となる前部、つまり、脱穀装置側が開放され、該筐体２にスプレッダ３０を装着した状態では、回転刃９が前方に剥き出した状態に配置される。また、筐体２後部下には図示しない連通孔が開口されて排出ダクト３と連通され、該排出ダクト３は筐体２後下部より後方へ延出して配設される。
【００１２】
このように構成されたスプレッダ３０を装備した排稈処理装置１はコンバイン１２等の脱穀装置の下流側に取り付けられ、筐体２内に搬送されてきた排稈を回転刃９を高速で回転することにより切断しつつ後方へ拡散し、排出ダクト３から排出する。
【００１３】
そして、前記排稈処理装置１と収穫機の本機との間には左右どちらか一側に鉛直方向に回動支軸を設けて、該回動支軸を中心に水平方向側方に回動してサイドオープンできるように排稈処理装置１が取り付けられており、排稈処理装置１をサイドオープンすることで、回転刃９を交換したり、コンバイン１２本機側の脱穀装置や選別装置等のメンテナンスを行ったりすることを可能としている。
【００１４】
排稈処理装置１のサイドオープン時において、従来の排稈処理装置の構成では、回転刃が剥き出し状態となり、筐体よりも突出するため、コンバイン内部などのスプレッダ以外のメンテナンスを行っているときに、作業者が回転刃に引っ掛かったり、触れて怪我をしたりする恐れがあった。そこで本発明は、作業者の安全を確保するために、排稈処理装置１の開放側に回動可能にカバー１５を設けて、オープン時には回転刃９を覆うことができるようにするのである。
【００１５】
図１及び図２に示すように、筐体２上前部の左右辺に枢支部を設け、該枢支部にカバー１５の一端の左右辺が取り付けられて、カバー１５を上下に回動可能として、下方に回動してスプレッダ３０の前面を覆う状態と上方へ回動して非作用時の状態に切り換えられるようにしている。そして、カバー１５は上下に複数分割して枢結する構成として、折り畳んで上板６の上面に収納できるようにしている。
【００１６】
すなわち、本実施例においては、該カバー１５は、第一カバー１６と第二カバー１７とに二つに分割してなり、該第一カバー１６の一側（上側）が筐体２の上板６に蝶番１８などにより回動自在に支持され、該第一カバー１６の他側（下側）に第二カバー１７が蝶番１９などにより回動自在に支持されて、折りたたみ可能に構成されている。該第一カバー１６と第二カバー１７は矩形状の板材からなり、その左右幅が筐体２の左右幅と略同一となるようにして、開口された筐体２前部を覆うようにしている。また、第一カバー１６と第二カバー１７の上下幅は、筐体２の上板６の前後幅より短くしている。
【００１７】
したがって、コンバイン１２内部のメンテナンスなどを行うためにスプレッダ１をサイドオープンした際に、図２に示すように、カバー１５を筐体上板６から垂れ下ろすことで、第一カバー１６により筐体２の前部上が、第二カバー１７により筐体２の前部中程が覆われる。つまり、筐体２内部に配設された回転刃９がカバー１５により覆われるため、簡単な構造で作業者が回転刃９に誤って接触することを防止でき、安全を確保することができる。なお、カバー１５の上下長さはスプレッダ３０の前方を覆う長さであればよく、また、三つ以上に分割することもできる。
【００１８】
また、メンテナンス等を終了して排稈処理装置１を本機側にセットしてコンバイン１２による収穫などに際してスプレッダ１を作動させる場合には、カバー１５により筐体２前部を覆っている図２に示す状態から、第一カバー１６を上方に回動して筐体２の上板６上に戴置し、更に第二カバー１７を回動して第一カバー１６上に戴置することで、図１に示すように、前記カバー１５を折りたたんで排稈処理装置１上部に収納することができる。このとき、第一カバー１６及び第二カバー１７は、その前後（上下）及び左右幅が筐体２の上板６より小さいので、筐体２より外側にはみ出すことがなく、スプレッダ２０を用いた作業時においてカバー１５が邪魔になることはない。なお、カバー１５を収納した状態において、振動等で騒音が発しないようにボルトやベルト等の固定部材で筐体２に固定することもできる。
【００１９】
次に、排稈処理装置の別実施例について説明する。
図３及び図４に示すように、前記実施例と略同様に筐体２１と排出ダクト２２とスプレッダ３１から構成された排稈処理装置２０において、筐体２１の左右の側板２３・２３下部にはそれぞれ支持部２４・２４が前方に突設され、該支持部２４・２４にカバー２５の上下方向一側（上側）が回動自在に枢支されている。また、筐体２１の左右どちらか一側または両側の側板２３上部に係止部材２６が回動自在に枢支され、該係止部材２６をカバー２５を上方に回動した状態で前記枢支部と反対側に設けられた係止部２５ａと係止可能としている。なお、本実施例では係止部材２６としてバネを用いている。
【００２０】
該カバー２５はその左右幅が筐体２１の幅と略同一とした板材からなり、側面視で略柄杓形に曲げられて平面部２５ｂと凹状部２５ｃとにより形成され、その平面部２５ｂの一側辺が支持部２４・２４に枢支され、他側に凹状部２５ｃを形成し、上方へ回動した状態で平面部２５ｂが筐体２１の前部下を覆い、凹状部２５ｃが筐体２１前部中程を覆うように構成されている。該凹状部２５ｃの大きさは回転軸２７に放射状に設けられた回転刃２９の前方に突出部分を覆うことができる大きさとしている。つまり、凹状部２５ｃは回転刃２９先端の回動軌跡における筐体２１前部外側を覆う形状とし、その形状は限定するものではなく、側面視多角形であっても側面視半円状であってもよい。そして、前記凹状部２５ｃの内側には複数の規制部２５ｄ・２５ｄを左右方向に所定の間隔で突設し、カバー２５を上方に回動した状態において、該規制部２５ｄ・２５ｄが回転軸７と当接するように、その高さ位置を設定している。
【００２１】
また、筐体２１の前記支持部２４・２４下部に棒状部材２８が左右両側板２３・２３に横設される一方、前記規制部２５ｄ・２５ｄと反対側面の平面部２５ｂに複数の規制部２５ｅ・２５ｅが左右所定の間隔で、該規制部２５ｅ・２５ｅの高さを図３に示すように前記棒状部材２８の高さ位置と合わせて突設されている。こうして、カバー２５を下方に回動した際に、平面部２５ｂから突出した規制部２５ｅ・２５ｅが前記棒状部材２８に当接するように構成している。なお、カバー２５は前記同様にバネ等の係止部材により下方に回動した状態で係止して振動等で騒音が生じないようにすることもできる。該係止部材はカバー２５側に取り付けることもできる。
【００２２】
このような構成において、排稈処理装置２０をメンテナンス等のために側方へ回動したサイドオープン時に、カバー２５を上方に回動すると、規制部２５ｄ・２５ｄが回転軸２７に当接してカバー２５が位置決めされる。そして、図４に示すように、カバー２５の係止部２５ｃに前記係止部材２６を回動させて係止することで、凹状部２５ｃにより前方に突出した回転刃２９を覆うことができる。よって、排稈処理装置２０をサイドオープンしてメンテナンスなどを行う際に、筐体２１の前方に開口した前部をカバー２５で覆って固定することができるので、作業者が誤って回転刃２９に触れるのを防ぐことができ、安全性の向上を図ることができる。
【００２３】
そして、メンテナンス等が終了し、コンバイン１２により収穫作業をする場合には、図４に示す筐体２１前部をカバー２５により覆っている状態から、カバー２５と係止部材２６と係止状態を解除し、カバー２５を下方に回動することで、図３に示すように、規制部２５ｅ・２５ｅが棒状部材２８に当接してカバー２５が筐体２１下部で位置決めされた状態となる。こうして、カバー２５を排稈処理装置１下部に収納することができ、スプレッダ３１での作業時においてカバー２５が邪魔になることがない。
【００２４】
【発明の効果】
本発明は、以上のように構成したので、以下に示すような効果を奏する。
【００２５】
即ち、請求項１に示す如く、切断装置等の作業部を収納した排稈処理装置の筐体を、入口側を開放して収穫機の本機に取り付けた構成において、前記筐体の入口側に、前記作業部前部を覆うカバーを収納可能に設けたので、簡単な構造で、スプレッダのサイドオープン時に作業者がスプレッダの回転刃に誤って接触するのを防ぐことができ、安全を確保することができる。
【００２６】
請求項２に示す如く、前記カバーを分割して折りたたみ可能に構成し、該カバーの一端を作業部の上部に回動自在に支持したので、カバーを排稈処理装置の上部に収納することができ、スプレッダを用いた作業時にカバーが邪魔になることがない。
【００２７】
請求項３に示す如く、前記カバーの一端を作業部下部に回動自在に枢支したので、カバーを排稈処理装置の下部に収納することができ、スプレッダを用いた作業時にカバーが邪魔になることがない。
【図面の簡単な説明】
【図１】カバーを筐体上部に収納した状態を示す排稈処理装置の斜視図。
【図２】回転刃をカバーで覆った状態を示す排稈処理装置の斜視図。
【図３】カバーを筐体下部に収納した状態を示す別実施例の排稈処理装置の斜視図。
【図４】回転刃をカバーで覆った状態を示す別実施例の排稈処理装置の斜視図。
【符号の説明】
１  排稈処理装置
２  筐体
１５  カバー
３０  スプレッダ
【図１】
2004313015.tif 000003
【図２】
2004313015.tif 000004
【図３】
2004313015.tif 000005
【図４】
2004313015.tif 000006